Podtech/llm-jp-corpus-v4-ja_patent huggingface dataset:
(57)【要約】【課題】玄米の有する栄養価などを保持した食し易い加工食品が得られれば簡便に玄米を利用でき、米の有効活用にもつながることが期待できる。本発明の加工食品は、簡便にそのまま食することも可能であり、さらには、牛乳、ジュースなどの飲料に分散させることでさらに食し易く、玄米本来の栄養価を吸収し易い状態で保持している。【解決手段】玄米を加圧加熱乾燥した成形体からなるインスタント食品。また、玄米が超高水圧で処理したものである上記のインスタント食品。また、玄米を加圧加熱乾燥した成形体をカップ状容器に封入してなる上記に記載のインスタント食品。【選択図】なし【特許請求の範囲】
【請求項１】
玄米を加圧加熱乾燥した成形体からなるインスタント食品。
【請求項２】
玄米が超高水圧で処理したものである請求項１に記載のインスタント食品。
【請求項３】
玄米を加圧加熱乾燥した成形体をカップ状容器に封入してなる請求項１または２のいずれかに記載のインスタント食品。
【発明の詳細な説明】
【技術分野】
【０００１】
本発明は、玄米ベースのインスタント食品に関する。詳しくは、食し易い食品であり、さらには、簡便により食し易い性状に加工でき、栄養価にも優れた玄米ベースのインスタント食品に関する。
【背景技術】
【０００２】
玄米は、栄養価に優れた食品ではあるが、加工が難しく、そのまま加熱処理するだけでは食し易い食品とはならず、加工し易いように予め粉砕したり、圧力釜を用いて炊飯などするのが一般的であるが、そのような方法では一部の栄養価が失われるなど、本来の玄米が有している特性が発揮できないという問題があった。
【０００３】
それに対しては、米を超高水圧で処理することが提案されており、超高圧水で米を処理することで、できあがりに炊飯米に光沢があっておのおのの粒が立ってみえる。高圧処理米はバランス度および粘りが高い。２４時間になっても老化した食感は少なく弾力性があるなどの効果が言われている。（非特許文献１）
【０００４】
このような方法を玄米に適用すると吸水性がよくなり調理しやすくなり、そうして得られた加圧処理玄米には、認知症の予防効果がある（非特許文献２）など種々の機能が期待されている。
【０００５】
しかしながら、加圧処理した玄米であってもそのまま食するのは困難であり、加熱処理後は、長期間安定に食感などが維持されるわけではない。
【先行技術文献】
【非特許文献】
【０００６】
【非特許文献１】長尾慶子  家政研究  ｖｏｌ．３０  ｐｐ１３−１９（１９９９）
【非特許文献２】奥田充顕ら第５回日本認知症予防学会学術集会  抄録集  １Ｐ−３
【発明の概要】
【発明が解決しようとする課題】
【０００７】
玄米の有する栄養価などを保持した食し易い加工食品が得られれば簡便に玄米を利用でき、米の有効活用にもつながることが期待できる。
【課題を解決するための手段】
【０００８】
本発明者らは上記課題を解決した栄養価の高い加工食品を得ることに鋭意検討し、本発明を完成した。
【０００９】
即ち、本発明は、玄米を加圧加熱乾燥した成形体からなるインスタント食品である。
【００１０】
本発明はまた、玄米が超高水圧で処理したものである上記のインスタント食品である。
【００１１】
本発明はまた、玄米を加圧加熱乾燥した成形体をカップ状容器に封入してなる上記に記載のインスタント食品である。
【発明の効果】
【００１２】
本発明の加工食品は、簡便にそのまま食することも可能であり、さらには、牛乳、ジュースなどの飲料に分散させることでさらに食し易く、玄米本来の栄養価を吸収し易い状態で保持しているという特徴を有しており極めて優れたものである。
【発明を実施するための形態】
【００１３】
本発明において玄米は、そのままでも、超高圧水で処理したものであっても良いが特に数千気圧、通常６千気圧の超高圧水で処理したものが好ましく利用できる。
【００１４】
本発明においては、上記玄米をそのまま、あるいは、さらに粉砕して粉末にした後に、水と混合して、ロールで圧延し、加熱した後にフレーク状にする方法、加熱加圧後に急激に減圧してスポンジ状にする方法、混合物を造粒器でペレット状にし、次いで加熱乾燥する方法などすることでフレーク状とすることができる。
【００１５】
また、膨張剤を混合して、成形に際して加熱、減圧して気泡をつくり、食感などを改善することも可能である。
【００１６】
上記加工の段階で、砂糖、蜂蜜、塩などで味付けしたり、香り付けすることも可能であり、フレーク状にした後にさらに加熱して焼き上げたり、シロップとか、食品用着色剤、香成分をまぶしたりして、より味、食感を整えることも可能である。
【００１７】
超高水圧加工した玄米は加圧時に表面から芯まで通じる「疎水」に水が通っているため吸水性が高く、高度に糊化していることから、加工処理が簡単で、栄養価が高く、味、食感に優れたインスタント食品に仕上がることが期待できる。また、多孔性でフレーク状にすることで、牛乳、果汁、野菜汁などと混合して、より食べやすく、栄養価が高い食品とすることが可能になり、好ましいインスタント食品となる。
【００１８】
また、上記フレーク状のものを、ガスバリヤ性の紙容器などに密封することで、長期保存可能で、封を開き、牛乳などを加えそのまま食することができる食品となる。
【００１９】
また、この食品を継続的に食することで、骨密度の低下の予防改善、認知症の改善効果が期待できる。
【実施例】
【００２０】
以下に実施例を示し発明をより詳細に説明する。
【００２１】
［実施例１］
株式会社エリーゼ製、超高圧水処理玄米１００部と水３００部を混合し、押出機に導入し、１０ｍｍΦ×３ｍｍの円筒状のペレットを得た。次いで、６０℃で乾燥してシリアルを得た。シリアル４０ｇに２００mｌの牛乳を混合して食したところ良い食味であった。
【００２２】
［実施例２］
実施例１で用いた玄米１００部と水２００部と塩２部を混合し、プレス機を用いて加圧して厚さ５ｍｍのシートとした。次いで、カッターで５ｍｍ角に切断しさらに加圧して引き延ばした。次いでローター式の乾燥機で７０℃で乾燥してフレーク状のシリアルを得た。
(57)【要約】      （修正有）【課題】入力フォームの意図や説明をすばやく理解することができ、また、入力フォームにストーリー性を持たせることができる漫画を用いた入力フォームの構成方法を提供する。【解決手段】入力フォーム作成システムは、入力フォームに、入力コントロール３と漫画コントロール４を配置することで、入力フォームに漫画と入力コントロールを同時に配置し、入力項目の意図や説明を効果的に行うことが可能となる。また、漫画コントロール４を複数配置することで、ストーリー性を持たせることが可能となる。【選択図】図２
2019153105.tif 000002
【特許請求の範囲】
【請求項１】
入力フォームに漫画画像を用いること。
【請求項２】
入力フォームに用いる漫画画像と、吹き出しに表示させるテキストや入力項目はそれぞれ独立していて、入力フォームの作成時に漫画画像の吹き出し部分を自由に書き換えられること。
【発明の詳細な説明】
【技術分野】
【０００１】
本発明は、入力フォームの意図の伝達や入力項目の説明をよりわかりやすくし、入力フォームにストーリー性を持たせるために、漫画を用いた入力フォームの作成方法を提供する。
【背景技術】
【０００２】
パソコンやスマートフォンで利用する入力フォームは、入力を求められる内容に対して、テキストや画像などで説明をおこなわれるが、必ずしも十分な説明や、理解を促さない場合もあった。本発明は、吹き出し内容を自由に書き換えられる漫画を用いることで、従来のテキストや画像の説明の代わり、または従来のテキストや画像の説明の追加とすることで、入力フォームの意図の伝達や入力項目の理解を促し、また、入力フォームにストーリー性を持たせることができるようになる発明である。
【先行技術文献】
【非特許文献】
【０００３】
【非特許文献１】(非)特許文献ｎ
【発明の概要】
【発明が解決しようとする課題】
【０００４】
従来、入力フォームに画像が用いられる場合があるが、その際の画像は主に装飾用として用いられていたため、入力フォームの意図の伝達や入力項目の説明、入力フォームにストーリー性を持たせることにはあまり役立つことはなかった。またテキストでの入力項目の説明は複雑になりがちで、すばやく理解をし入力が求められる入力項目の説明方法としては不十分であった。本発明では、画像と吹き出しが１枚の絵の中に存在する漫画を用いた入力フォームを作成する仕組みを提供することで、入力フォームの装飾用だけではなく、入力フォームの意図の伝達や入力項目の説明がすばやく理解することができ、また、入力フォームにストーリー性を持たせることが可能となる。
【課題を解決するための手段】
【０００５】
吹き出しが空欄、または自由に書き換えが行えるような１漫画画像を準備する。漫画画像は、１コマ分でも、数コマがまとまった画像でもよい。
【０００６】
Ｗｅｂブラウザなどで起動する２入力フォーム作成システムに、３入力コントロールと４漫画コントロールを５フォーム作成エリアに配置する。
【０００７】
４漫画コントロールは、１漫画画像を複数選択することができ、また、１コマの中の吹き出しに表示するテキストや入力コントロールを、複数設定することができる。
【０００８】
５フォーム作成エリアに追加した３入力コントロールや４漫画コントロールは、配置順番を自由に変更することができる。
【０００９】
５フォーム作成エリアに配置した４漫画コントロールの配置順を変えることや、１漫画画像の吹き出しの中身を自由に変えることで、入力フォームにストーリー性を持たせることができる。
【発明の効果】
【００１０】
本発明により、入力フォームの意図や説明をすばやく理解することができ、また、入力フォームにストーリー性を持たせることができる。
【図面の簡単な説明】
【００１１】
【図１】漫画画像
【図２】入力フォーム作成システム
【符号の説明】
【００１２】
１  漫画画像
２  入力フォーム作成システム
３  入力コントロール
４  漫画コントロール
５  フォーム作成エリア
６  吹き出し
【図１】
2019153105.tif 000003
【図２】
2019153105.tif 000004
(57)【要約】      （修正有）【課題】防犯、事故防止を目的にしたカメラ撮影画像異物検出通報装置を提供する。【解決手段】カメラ撮影画像異物検出通報装置は、カメラで撮影した画像をＡＩ（人工知能）などによって人物、自転車、石などの異物をカメラ撮影画像から認識して、その撮影画像をメール、ＬＩＮＥなどの通信によって自動的にあらかじめ設定された受信先に送信する機能を備える。【選択図】なし【特許請求の範囲】
【請求項１】
カメラで撮影した画像をＡＩ（人工知能）などによって人物、自転車、石などの異物をカメラ撮影画像から認識して、その撮影画像をメール、ＬＩＮＥなどの通信によって自動的にあらかじめ設定された受信先に送信する機能を持ったカメラ撮影画像異物検出通報装置。
【発明の詳細な説明】
【発明の詳細な説明】
【発明に属する技術分野】
【０００１】  本発明は、防犯、事故防止を目的にしたカメラ撮影画像異物検出通報装置に関する。
【背景技術】
【０００２】  従来の防犯用カメラ撮影画像通報装置は、受信者が防犯用カメラ撮影画像通報装置に送信命令をして、はじめてカメラ画像を入手するか、防犯用室内監視通報装置においては、警備会社に委託するしかない状態である。市販の防犯機器は、室内撮影のみの機能だけか、窓からの不法侵入に対しては、警報ブザーを鳴らす機能だけなど、機能が限定されていた。しかし、警備会社に委託した場合、個人住宅の場合、非常事態時に、警備員が、個人の住宅内に入っていいのか、１個建て住宅では、警備会社に合鍵を渡さなくてはいけないなどの問題が発生していた。
【発明が解決しようとする課題】
【０００３】  本発明は、個人宅、工場、ビル内の店舗、会社の防犯だけでなく、工場、ビル外のガレージ、壁などの落書き防止、鉄道の踏切事故防止、鉄道車両の落書き防止、鉄道線路の土砂崩れ、降雪、人によって故意に自転車、石などを線路上に置く事による事故防止などを目的にしている。
【課題を解決するための手段】
【０００４】  このため、本発明は、カメラで撮影した画像をＡＩ（人工知能）などによって人物、自転車、石などの異物をカメラ撮影画像から認識して、その撮影画像をメール、ＬＩＮＥなどの通信によって自動的にあらかじめ設定された受信先に送信する機能を持ったカメラ撮影画像異物検出通報装置が必要となる。
【発明を実施するための形態】
【０００５】  発明の実施の形態を理論上の実施例にもとづき説明する。
【０００６】  カメラで撮影した画像をＡＩ（人工知能）などによって人物、自転車、石などの異物をカメラ撮影画像から認識して、その撮影画像をメール、ＬＩＮＥなどの通信によって自動的にあらかじめ設定された受信先に送信する機能を持ったカメラ撮影画像異物検出通報装置が必要となる。
【０００７】  それにより、個人宅、工場、ビル内の店舗、会社の防犯だけでなく、工場、ビル外のガレージ、壁などの落書き防止と、その証拠写真を入手する事が可能となる。
【０００８】  また、カメラ撮影画像異物検出通報装置によって鉄道の踏切事故防止、鉄道車両の落書き防止、鉄道線路の土砂崩れ、降雪、人によって故意に自転車、石などを線路上に置く事による事故防止なども可能となる。
【０００９】  その他、さまざまな場所で、必要に応じて、カメラ撮影画像異物検出通報装置によって防犯、事故防止ができる。
(57)【要約】【課題】自動車硝子などで危惧されている硝子面への撥水性を抑えた硝子合紙の製造方法を提供する。【解決手段】硝子板の保管・輸送時に使用する硝子板と硝子板の間に挟む紙（合紙という）で、硝子板面の撥水性の転写物の原因となるイオウ因子の薬剤を含まない硝子合紙の製造方法。【選択図】図１
2019085170.tif 000002
【特許請求の範囲】
【請求項１】
硝子板の保管・輸送時に使用する硝子板と硝子板の間に挟む紙（合紙という）で、硝子板面の撥水性の転写物の原因となるイオウを含まない紙を硝子合紙として使用することを特徴とする硝子合紙。
【発明の詳細な説明】
【技術分野】
【０００１】本発明は、硝子合紙が原因で起こる硝子板面への撥水性を転写させにくくする硝子合紙に関する。
【背景技術】
【０００２】硝子合紙が原因で、硝子板面へ撥水性が転写し、硝子板面に印刷したり、薬剤を塗工したりする場合に、その印刷、塗工が剥がれる問題が懸念されている。
【発明の概要】
【発明が解決しようとする課題】
【０００３】硝子合紙は、長期間、硝子板と硝子板の間に挟まれると、合紙から硝子板面に、合紙成分が転写して、硝子板面の印刷、塗工を付きにくくしている。特に、自動車用の硝子面の印刷は、合紙が原因で、硝子面の印刷が剥がれることが心配されている。  走行中の自動車で、雨漏りや硝子の脱落をおこしてしまうことが、危惧されている。
【課題を解決するための手段】
【０００４】硝子板の保管・輸送時に使用する硝子板と硝子板の間に挟む紙（合紙という）で、硝子板面の撥水性の転写物の原因となるイオウ因子の薬剤を含まない紙を硝子合紙に使用する。
【発明の効果】
【０００５】合紙から硝子板面への転写が大幅に減少するため、印刷したり、薬剤を塗布したりする硝子の剥離問題を減少することができる。
【図面の簡単な説明】
【０００６】
【図１】撥水性の違いを示す接触角
【発明を実施するための形態】
【０００７】硝子の合紙は、硝子板の輸送、保管用の資材として、ほとんどの硝子に使用されているが、長期間、硝子板に触れた状態になるため、硝子板面に、合紙から、合紙の成分が転写して、硝子板面に、その後の２次加工処理に問題を発生させている。２次加工で代表的なものとしては、自動車硝子面への印刷である。硝子板面への合紙からの転写が原因で、硝子板面と印刷インキ面の剥離が発生し、走行中の自動車に雨漏り、硝子の脱落を起こさせる原因にもなり警戒されている。  しかしながら、現行、使われている合紙は、一般に出回っている紙を流用しているケースがほとんどで、硝子面への転写問題が、多かれ少なかれ、合紙を使い始めてから、継続的に発生している。
【０００８】一般的に、紙の成分は、植物繊維とサイズ剤、填料（カオリン、クレー、タルク、炭酸カルシウム）、紙力増強剤（でんぷん、ポリアクリルアミド）、染料、塗料（カオリン、炭酸カルシウム（白色顔料）、デンプンラテックス（接着剤））からなっており、それらを定着させる目的で、硫酸バンドを使用している。  硝子合紙は、こういったものが入っているものを、使用している。
【０００９】今回、硝子板面への撥水性の転写は、紙のどういった成分から起こるかが、解明できた。紙は、本来、包装、印刷として、使用されることが主である。  そのため、包装紙としての強度ＵＰ、印刷紙としての印刷適正向上のための薬剤を投入する。その薬剤を有効に効かすために、硫酸バンド、硫酸を紙には、投入されるケースがほとんどである。しかし、そういったイオウ因子を含む薬剤である硫酸バンド（Ａｌ２ＳＯ４）、硫酸（Ｈ２ＳＯ４）は、長時間かけて、なんらかの理由で、それ自体、撥水性を持つ硫化水素などの硫化物になって、硝子板面に転写することになる。
【００１０】［図１］は、硝子板面の撥水状態を表す接触角を示している。合紙への硫酸バンド、硫酸の投入量に比例していて、投入量が増えると、接触角の数値が上昇して、硫酸バンド、硫酸の影響で、撥水性が硝子板面に転写していることがわかる。
【００１１】［表１］は、紙の硫酸バンドと硫酸の投入した場合と投入しなかった場合の硝子板面の接触角数値の違いを表すものである。  これによると、硫酸バンド、硫酸を投入しないでつくられた合紙は、あきらかに、硝子板面の接触角数値が減少しており、合紙から硝子板面への転写が減少していることを示している。
【００１２】
【表１】
2019085170.tif 000003
【００１３】本発明は、一般的には、紙の製法で、ほとんどの場合、投入する硫酸バンド、硫酸の投入を２％以下にすることで、現行合紙で発生している硝子板面への転写が大幅に減少することが判明した。
【図１】
2019085170.tif 000004
(57)【要約】      （修正有）【課題】群集心理を購入モチベーションに置換できるゲーム容器（販売容器）を提供する。【解決手段】経費を掛けた販売キャンペーンが無効となった今こそ、経費を掛けない通常販売の見直しが必要なのである。それに呼応させたいのが本発明の、必要経費で賄える販売イベント容器なのだ。或る日を境に、上蓋にブラインドされた誕生日の二桁の数列が現れたかと思えば、それがトランプカードに姿を変え、更に、サイコロの目に変身させられる。そして、忘れた頃に又誕生日に戻っていたりと、一年を通じて飽きの来ない販売イベント容器で、日常嗜好品の安定需要が確保されるのである。【選択図】なし【特許請求の範囲】
【請求項１】
誕生日磁場を活用した販売容器
【請求項２】
トランプ磁場を活用した販売容器
【請求項３】
サイコロ磁場を活用した販売容器
【発明の詳細な説明】
【技術分野】
【０００１】
本発明は、同一売り場にディスプレーされた商品同士に自然発生する、双方向のベクトルを束ね、それらの集合体からなる販売磁場を活用して、複数アイテムを芋づる式に繋げて販売する方法である。
【背景技術】
【０００２】
それぞれのアイテムに、S極とN極に代わる二桁の数列を割り振り、それらの組合さる力で販売数をこなすセールス方法は、磁力パワーのマジックハンドの活用と同義である。
【０００３】
S極とN極に代わる二桁の数列は、誕生日を表す３６５通りの４桁を、月数の二桁と日付けの二桁に分割したものとし、これらをパッケージのブラインドサイドに配した、ゲーム容器に転写して販売すると、誕生日を求めてエスカレートする群集心理を、購入モチベーションに置換できる。
【発明の概要】
【発明が解決しようとする課題】
【０００４】
ブームに拠って需要が左右され、尚且つ必要に応じて単品で購入されがちな、アイスクリームやカップ麺等、所謂、日常嗜好品の慢性的課題は、気まぐれな消費者ニーズを支えとしているところにあり、頭打ちの需要の壁を越えて、尚且つ安定需要に資する販売方法が待たれて久しい。
【課題を解決する為の手段】
【０００５】
本発明において一人の消費者が、一回の購入で自身の誕生日を揃えられる確率は、誕生月記載アイテムの事前入手を条件に、１／３１と算出される（図１）。即ち、１００人の購入者に等しく与えられる購入機会毎の確率は、１００人に３人の割合となる。
この３％弱の確率を現実なものとするには、１月から１２月まで記載の１２個をセットで販売し、無条件に入手できる環境を整えねばならない。本発明にプレミアムを付けて販売イベントを組むことで、参加者には当該商品のセット購入を義務付けることが可能となり、その上で消費者は自身の誕生日を求めて、従来の単品買いに走らざるを得ない状況に置かれる。即ち、本発明を採用することで、セット買い／単品買い双方の重要を合わせて喚起することが可能となり、販売スペース全般の活性化に繋がるのである。
【発明の効果】
【０００６】
月数と日付け、それぞれ二桁の磁場を活用できる他に、ゲーム磁場の活用が可能である。その一つが一枚のトランプを商品パッケージにブラインドすることで、購入者にポーカーを楽しませ、ワンペア・ツーペア・３カード・４カードと追うごとに、購入数を増やさせる方法（図２）や、サイコロの目をゾロ目に揃えさせたり（図３）、バリエーションを設けることで販売イベントのロングスパンが実現できる。
【０００７】
ゲーム確率が意味するものとして誕生日を例に取れば、その３％弱の意味するところは、１００個の商品を販売するに当り、その９６個までには販売経費が掛からい処である。
その要因は、どのようなゲームであれ結果を求める群集心理が作用するからである。
【図面の簡単な説明】
【０００８】
【図１】本発明に係る販売方法と当選者数を算出したもの。
【図２】誕生日をトランプカードに置き換えた場合の当選確率
【図３】更に、サイコロの目に置き換えた場合の当選確率
【発明を実施する為の形態】
【０００９】
本発明の実施には、蓋付きのパッケージに小分が可能か、既に小振りな蓋付き容器で販売されている食品が有効である。即ち、入換える手間だけの販売イベント容器が本発明の真髄なのである。更に、当該イベント容器に施せる絶妙なスパイスこそが、誕生日と言う４桁の数列を活用した確率ゲームなのである。
【図１】
2019085154.tif 000002
【図２】
2019085154.tif 000003
【図３】
2019085154.tif 000004
(57)【要約】      （修正有）【課題】部材の構成や構造が複雑である一方、弾性がなく時間とともに被結束物に緩みが生じない、線状物、棒状物、筒状物、袋状物等を結束する結束具を提供する。【解決手段】シート状樹脂もしくはそれに準じる材質で、矢印状係止部１，４を構成し、環状弾性体３を巻き込んで穿孔部２に挿入してフックする。環状弾性体は、被結束物５を回って、第２の矢印状係止部４にフックされ、結束が完成する。シート材と環状弾性体という単純な材質で経時的に緩みを生じない結束帯を構成する。【選択図】図１
2019085171.tif 000002
【特許請求の範囲】
【請求項１】
シート樹脂もしくはそれに準ずる材料で構成され、両側に引っ掛かりを設けた第一の矢印状係止部と、１つ以上の穿孔部を備え、第一の矢印状係止部は環状弾性体を巻き込んで穿孔部にフックされ、さらに１つ以上の矢印状係止部を備えることを特徴とする結束帯
【発明の詳細な説明】
【技術分野】
【０００１】  本発明は、線状物、棒状物、筒状物、袋状物等を結束する結束具に関する。
【背景技術】
【０００２】  結束帯としては、マジックテープやベルクロの商標で知られる面ファスナーや、インシュロックの商標で知られる樹脂結束バンドなどが流通している。
【発明の概要】
【発明が解決しようとする課題】
【０００３】  面ファスナーの結束帯は、片面に微小なループ構造を、反対面に微小なフック構造を持ち、フックがループに勘合することで結束を実現しているが、素材が複雑で高価なものとなっている。また、樹脂結束バンドは複雑な形状を実現する成型金型が必要となる。【０００４】  また、従来の結束帯は、振動などのために時間とともに被結束物の間に隙間を生じ、結束が緩むこと欠点がある。
【課題を解決するための手段】
【０００５】  薄い樹脂板等で矢印状の係止部を構成し、環状弾性体をはめ込んだ状態で穿孔部に挿入し固定する。【０００６】  穿孔部から見て反対方向に第２の矢印状係止部を備える。【０００７】  環状弾性体は、被結束物上を回って第２の矢印状係止部にフックされる。【０００８】  第２係止部に対しては、環状弾性体が自己の持つ弾性のみでフックしているため、手作業で容易にフックを外すことができる。
【発明の効果】
【０００９】  本発明の結束具は、均質材料である薄い樹脂版もしくはそれに準ずるものと環状弾性体で構成されているため、安価で容易に作成することができ、弾性体を含んでいるため時間がたっても緩みを生じない。
【図面の簡単な説明】
【００１０】
【図１】発明を実施するための形態の説明図
【図２】第１実施例の説明図
【発明を実施するための形態】
【００１１】  図１の如く、第１の矢印状係止部１は、環状弾性体３を巻いた状態で穿孔部２に挿入される。矢印のえらの部分は穿孔部２の径より大きく作られているが、シート材で作られているので、丸くしならせて挿入することができ、挿入後は容易に外れることはない。
第２の矢印状係止部４は穿孔部２に対して第１の矢印状係止部１とは反対側に配置される。
環状弾性体３は被結束物５を巻いたのち、第２の矢印状係止部４にフックされて結束が完成する。
【実施例】
【００１２】  図２は、本発明の第１実施例である。穿孔部２に対して第２の穿孔部６が設けられている。第１の矢印状係止部１は、環状弾性体３を巻いた状態で穿孔部２にフックした状態で出荷される。
顧客は第１の矢印状係止部１を第２の穿孔部６に挿入しフックすることができる。被結束物がケーブルやコードのごとく長尺物が巻かれた状態である場合、顧客は被結束物の端部７をここにはめ込むことにより、被結束物に結束帯を取り付けておくことができる。また、この部分に金属リングなどをはめ込むこともでき、顧客の必要に応じた使用方法を提供できる。【００１３】  また、第２の矢印状係止部４のほかに、第３の矢印状係止部８と第４の矢印状係止部９が設けられている。【００１４】  環状弾性体３は、被結束物５の径に合わせて、第２の矢印状係止部４か、第３の矢印状係止部８か、第４の矢印状係止部９のいずれか選んでフックすることができる。図２の例では環状弾性体３は、第３の矢印状係止部８にフックされているが、先端にある第２の矢印状係止部４が不要であればカットして除去することも可能である。
【産業上の利用可能性】
【００１５】  本考案は、線状物、棒状物、筒状物、袋状物等を結束する結束具の構造を簡素化するとともに、経時変化による緩みを生じない特性を与えるものである。
【符号の説明】
【００１６】１  第１の矢印状係止部
２  穿孔部
３  環状弾性体
４  第２の矢印状係止部
５  被結束物
６  第２の穿孔部
７  被結束物の端部
８  第３の矢印状係止部
９  第４の矢印状係止部
【図１】
2019085171.tif 000003
【図２】
2019085171.tif 000004
(57)【要約】【課題】薄型で、ケーソン内部の鉄筋に干渉しない、周面摩擦計を提供する。【解決手段】上面開放の箱状の外枠と、前記外枠の上面に嵌合する内枠と、前記外枠の内部に配置する感度部と、からなり、前記感度部は、前記外枠の内面中央に固定する外枠固定部と、前記内枠の下面に取り付ける内枠固定部と、前記外枠固定部と前記内枠固定部を連結する柱状の連結部と、前記連結部に取り付けるひずみゲージと、からなる、周面摩擦計。【選択図】図１
2019085767.tif 000002
【特許請求の範囲】
【請求項１】
上面開放の箱状の外枠と、
前記外枠の上面に嵌合する内枠と、
前記外枠の内部に配置する感度部と、からなり、
前記感度部は、
前記外枠の内面中央に固定する外枠固定部と、
前記内枠の下面に取り付ける内枠固定部と、
前記外枠固定部と前記内枠固定部を連結する柱状の連結部と、
前記連結部に取り付けるひずみゲージと、からなる、
周面摩擦計。
【請求項２】
請求項１に記載の周面摩擦計において、
前記外枠の底面中央から下方に突出する凸部を形成し、
前記外枠固定部を前記凸部内に配置することを特徴とする、周面摩擦計。
【発明の詳細な説明】
【技術分野】
【０００１】
本発明は、ケーソン周面と周面地盤の間の摩擦力を計測するための周面摩擦計に関する。
【背景技術】
【０００２】
従来から、地中に構造物を構築する際に、地上で構築したケーソンを地中に沈下させる工法が行われている。
このとき、ケーソンを精度良く沈設させるためには、ケーソンの周面と周面地盤の間の摩擦力を計測する必要がある。
【０００３】
摩擦力を計測するための周面摩擦計は、ケーソンに埋設して固定する外枠１と、外枠１に嵌合する内枠２とからなり、外枠１と内枠２との間には摩擦力を検出するための感度部３を配置する（図２）。
【発明の概要】
【発明が解決しようとする課題】
【０００４】
従来の周面摩擦計は、感度部３に作用する引張・圧縮から摩擦力を検出している。
一般的に、材料に圧縮力が加えられた場合、理論上は均等に変形して均等なひずみ分布となるが（図３（ａ））、実際には材料と力の接触面の摩擦により変形が抑制され、樽型に変形する（図３（ｂ））。このため、均等なひずみ分布を得るためには、材料の長さＬを径Ｄの１．５倍以上とする必要があり、感度部３が長くなってしまう。
感度部３が長くなると、感度部３を配置する外枠１も大きくする必要がある。
【０００５】
また、周面摩擦計には摩擦力の他に土圧が作用するが、土圧が感度部３に作用すると、感度部３に曲げ力が作用し、摩擦力の測定に影響を与える他、感度部３が変形するおそれがある。
このため、土圧を受けて打ち消すための内枠保持部Ａを設ける必要があり、外枠１も大きくする必要がある。
【０００６】
外枠１が大きくなると、周面摩擦計も大きくする必要がある。すると、周面摩擦計の外枠１がケーソン内部の鉄筋に干渉するために、鉄筋のかぶり厚さの厚い位置にしか埋設できないという問題があった。
【０００７】
本発明は、薄型で、ケーソン内部の鉄筋に干渉しない、周面摩擦計を提供することを目的とする。
【課題を解決するための手段】
【０００８】
上記目的を達成するためになされた本願の第１発明は、上面開放の箱状の外枠と、前記外枠の上面に嵌合する内枠と、前記外枠の内部に配置する感度部と、からなり、前記感度部は、前記外枠の内面中央に固定する外枠固定部と、前記内枠の下面に取り付ける内枠固定部と、前記外枠固定部と前記内枠固定部を連結する柱状の連結部と、前記連結部に取り付けるひずみゲージと、からなる、周面摩擦計を提供する。
本願の第２発明は、第１発明の周面摩擦計において、前記外枠の底面中央から下方に突出する凸部を形成し、前記外枠固定部を前記凸部内に配置することを特徴とする、周面摩擦計を提供する。
【発明の効果】
【０００９】
本発明は、上記した課題を解決するための手段により、次のような効果を得ることができる。
（１）せん断ひずみにより摩擦力を検知するため、感度部を薄くすることができる。
（２）感度部を薄くすることにより、周面摩擦計も薄くなり、鉄筋のかぶり厚さの薄い場所にも埋設することができる。
（３）せん断ひずみにより摩擦力を検知するため、土圧による影響がなく、内枠保持部を設ける必要がない。
（４）内枠保持部を設ける必要がないため、感度部を外枠から突出する凸部内に配置することができる。
（５）感度部が小さいため凸部も小さくなり、凸部が格子状に組まれた鉄筋の間に入り込むことにより、鉄筋のかぶり厚さの薄い場所にも埋設することができる。
【図面の簡単な説明】
【００１０】
【図１】本発明の周面摩擦計の説明図
【図２】従来の周面摩擦計の説明図
【図３】圧縮力により摩擦を検出する場合の説明図
【発明を実施するための形態】
【００１１】
以下、図面を参照しながら本発明の実施の形態について説明する。
【実施例１】
【００１２】
＜１＞周面摩擦計
本発明の周面摩擦計は、ケーソンなどの構造物Ｃの表面に固定し、構造物Ｃとその周面地盤との摩擦力を計測するものである。
本発明の周面摩擦計は、構造物Ｃに固定する外枠１と、外枠１に嵌合する内枠２と、からなる（図１）。
外枠１は平面視円状または平面視矩形状の、上面開放の箱状であり、構造物Ｃに埋設する。
内枠２は外枠１の開放された上面と略同寸法の平板であり、外枠１と嵌合して構造物Ｃの表面と同一平面となる。
【００１３】
＜２＞感度部
感度部３は、外枠１の内面中央に固定した外枠固定部３１と、内枠２の下面に取り付ける内枠固定部３２と、外枠固定部３１と内枠固定部３２を連結する柱状の連結部３３と、連結部３３に取り付けるひずみゲージ３４と、からなる。
内枠２に摩擦力が作用すると、摩擦力により内枠２が外枠１に対して変位して連結部３３にせん断力が働き、そのせん断力によるせん断ひずみをひずみゲージ３４により検知することにより、摩擦力を計測する。
せん断力は、圧縮力と異なり摩擦がないため、連結部３３にはせん断力が均等に作用する。このため、連結部３３の高さが低くてもせん断力を正確に検知できるため、感度部３を薄くすることができ、周面摩擦計も薄くすることができる。
また、せん断ひずみにより摩擦力を検知するため、土圧による影響がなく、土圧を受けて打ち消すための内枠保持部が不要となる。
【００１４】
＜３＞外枠の形状
外枠１は、内枠保持部が不要となるため、内底面を内枠２の下面にほぼ接するように形成し、感度部３を配置する中央部を下方に突出し、凸部を有する形状とすることができる。
凸部は外枠１の内側に凹部を有しており、凹部内に感度部３の外枠固定部３１を内包する。
本発明の周面摩擦計の感度部３は薄く、大きさも小さいため、外枠１の裏側から突出する凸部も小さくなる。
このため凸部が格子状に組まれた鉄筋の間に入り込むことにより、鉄筋のかぶり厚さの薄い場所にも埋設することができる。
【符号の説明】
【００１５】
１      外枠
１１    凸部
１２    凹部
２      内枠
３      感度部
３１    外枠固定部
３２    内枠固定部
３３    連結部
３４    ひずみゲージ
４      鉄筋
【図１】
2019085767.tif 000003
【図２】
2019085767.tif 000004
【図３】
2019085767.tif 000005
(57)【要約】【課題】チャコールキャニスタに吸着された燃料をエンジンに送るパージ配管に設けられたパージ制御バルブの動作に起因する異音を小さくする。【解決手段】燃料タンク１０内で蒸発した燃料はチャコールキャニスタ１４に吸着される。吸着された燃料は、パージ配管２０を介して吸気配管２４からエンジン２２に吸い込まれる。パージ配管２０の途中には所定の周波数で開閉するパージ制御バルブ３０が配置されている。パージ制御バルブ３０より下流のパージ配管３２は細径部分３４を有する。細径部分３４により脈動が抑制され、気流音が減少する。【選択図】図１
2019085908.tif 000002
【特許請求の範囲】
【請求項１】
車両の燃料タンク内で蒸発しチャコールキャニスタに吸着された燃料を吸気と共にエンジンに吸い込ませる蒸発燃料パージ装置であって、
前記チャコールキャニスタから前記エンジンの吸気系管路に至るパージ配管と、
前記パージ配管の途中に配置され、所定の周波数で開閉するパージ制御バルブと、
を有し、
前記パージ制御バルブより下流の前記パージ配管の一部に、内径が細い細径部分が設けられている、蒸発燃料パージ装置。
【発明の詳細な説明】
【技術分野】
【０００１】
本発明は、車両の燃料タンク内で蒸発しチャコールキャニスタに吸着された燃料を吸気と共にエンジンに吸い込ませる蒸発燃料パージ装置に関する。
【背景技術】
【０００２】
燃料タンク内で蒸発した燃料は、大気に放散されないように一旦チャコールキャニスタに吸着される。チャコールキャニスタは、パージ配管によってエンジンの吸気配管に接続されており、チャコールキャニスタに吸着された燃料は、エンジンの発生する負圧により吸引され、パージ配管を介してエンジンに吸い込まれ、エンジンで燃やされる。パージ配管には、パージ制御バルブが設けられ、エンジンに吸い込まれる燃料を含んだ空気の量が制御される。
【０００３】
下記特許文献１には、パージ制御バルブ（切替弁３３）の動作に伴う気流音の発生を抑えた蒸発燃料パージ装置が示されている。下記特許文献１においては、パージ制御バルブ（３３）の上流側の配管の内径をパージ制御バルブに向けて段階的に小さくする異音対策が開示されている。なお、上記の（  ）内の部材名および符号は下記特許文献１で用いられているものであり、本願の実施形態の説明で用いられる部材名および符号とは関連しない。
【先行技術文献】
【特許文献】
【０００４】
【特許文献１】特開平７−２８６５６３号公報
【発明の概要】
【発明が解決しようとする課題】
【０００５】
蒸発燃料パージ装置において、パージ制御バルブの動作により生じる気流音について、パージ制御バルブより下流側、つまりエンジン側においても対策が求められている。
【課題を解決するための手段】
【０００６】
本発明に係る蒸発燃料パージ装置は、チャコールキャニスタからエンジンの吸気系管路に至るパージ配管と、パージ配管の途中に配置され、所定の周波数で開閉するパージ制御バルブとを有し、パージ制御バルブより下流のパージ配管の一部に、内径が細い細径部分が設けられている。
【発明の効果】
【０００７】
パージ制御バルブの動作で生じるパージ配管内流れの脈動が、パージ制御バルブより下流に設けられたパージ配管の内径が細い部分によって減衰され、下流側での気流音が小さくなる。
【図面の簡単な説明】
【０００８】
【図１】蒸発燃料の処理に係る構成を示す図である。
【図２】下流側パージ配管の一例を示す図である。
【図３】下流側パージ配管の他例を示す図である。
【発明を実施するための形態】
【０００９】
以下、本発明の実施形態を図面に従って説明する。図１は、蒸発燃料の処理に係る構成を示す図である。燃料タンク１０内で蒸発した燃料は、蒸発燃料配管１２を通ってチャコールキャニスタ１４に送られる。チャコールキャニスタ１４は、蒸発燃料を吸着する活性炭などの吸着材１６と、吸着材１６を収める容器１８を含む。チャコールキャニスタ１４にはパージ配管２０の一端が接続され、パージ配管２０の他端はエンジン２２の吸気配管２４に接続される。パージ配管２０は、スロットルバルブ２６より下流、つまりエンジン２２側の吸気配管２４、特にサージタンク２８に接続される。パージ配管２０の途中には、パージ制御バルブ３０が配置されている。
【００１０】
パージ制御バルブ３０が開くことにより、吸気配管２４内の負圧によってチャコールキャニスタ１４に吸着されていた燃料がパージ配管２０を介して吸気配管２４に吸い込まれ、エンジン２２内で燃焼する。これにより、燃料タンク１０内で蒸発した燃料の大気中への放散が抑制される。
【００１１】
パージ配管２０の途中には、開閉してチャコールキャニスタ１４とエンジン２２の吸気配管２４とを連通し、また遮断するパージ制御バルブ３０が配置されている。パージ配管２０とパージ制御バルブ３０が、チャコールキャニスタ１４に吸着された燃料を、混合気と共にエンジン２２に吸い込ませる蒸発燃料パージ装置として機能する。
【００１２】
パージ配管２０を介してエンジン２２に吸入される空気および燃料が多いと、空燃比への影響が大きくなるため、パージ配管２０を流れる流量（以下、パージ流量と記す。）は、適切に制御される必要がある。例えば、エンジン２２の回転速度、スロットルバルブ２６の開度などに基づきパージ流量が制御される。パージ制御バルブ３０は、所定の周期で開閉を繰り返すバルブであり、周期に対する開期間の長さ（デューティー比）を制御することで、パージ流量の制御を行うことができる。
【００１３】
パージ制御バルブ３０の開閉動作により、パージ配管２０内の流れは脈動流となり、これがシュッシュッという断続的な気流音を生じさせる場合がある。このパージ配管２０においては、パージ制御バルブ３０よりも下流側のパージ配管３２（以下、下流側パージ配管３２と記す。）に内径の細い部分３４を設けて気流音を小さくしている。
【００１４】
図２は、下流側パージ配管３２の一例を示す図である。下流側パージ配管３２は、その一部に、絞られて内径が細くなった細径部分３４を有する。この細径部分３４を設けたことにより、脈動が減少して気流音を小さくすることができる。
【００１５】
図３は、他の態様の下流側パージ配管３６を示す図である。下流側パージ配管３６は、２つの配管３６ａ，３６ｂをジョイント管３８を介して接続して構成されている。ジョイント管３８の内径は、配管３６ａ，３６ｂの内径よりも小さく、全体として、下流側パージ配管３６は、その一部に細径部分を有している。この下流側パージ配管３６においても細径部分により、脈動を減少して気流音を小さくすることができる。
【符号の説明】
【００１６】
１０  燃料タンク、１２  蒸発燃料配管、１４  チャコールキャニスタ、１６  吸着材、１８  容器、２０  パージ配管、２２  エンジン、２４  吸気配管、２６  スロットルバルブ、２８  サージタンク、３０  パージ制御バルブ、３２  下流側パージ配管、３４  細径部分、３６  下流側パージ配管、３８  ジョイント管。
【図１】
2019085908.tif 000003
【図２】
2019085908.tif 000004
【図３】
2019085908.tif 000005
(57)【要約】【課題】  現在まで建物は、強固な地盤の上に、強い構造の躯体を連結固定させて地震に耐えさせようとするものであった。しかし、どのように強い構造としてもある程度以上の地震には耐えられない。【解決手段】  地盤と建物を固定せず、地震で地盤が動いたとき、建物の基盤から上が動くようにして、地震の揺れを吸収させる構造とする。【選択図】図１
2019085858.tif 000002
【特許請求の範囲】
【請求項１】
住宅等の建設において、宅地側と建物基礎基盤の間に空間を設けること。
【請求項２】
住宅等の建設において、宅地側と建物基礎基盤の間の空間に球体を入れること。
【発明の詳細な説明】
【技術分野】
【０００１】  本発明は、地震対策として宅地側と建物本体を固定せず、宅地基盤と建物本体の間に空間を設け、その空間に球体を入れて、地震の際、建物が自由に動くようにして、揺れを逃がすこととし、建物に被害を及ぼさないようにするものである。
【背景技術】
【０００２】  従来の建物は、宅地側と建物躯体を強固に固定する考えで建てられているため地震の際、建物は地盤と共に揺れ、強い地震の場合、建物が耐えられなくなり損傷を免れなかった。
【発明の概要】
【発明が解決しようとする課題】
【０００３】  地震の際、地盤からの揺れを建物に伝わらなくして建物の損傷を防ごうとするものである。
【課題を解決するための手段】
【０００４】  地盤と建物の間に空間を作り、ここに球体を入れて地震の際、地盤が揺れても建物は球体によって動くようにする。
【発明の効果】
【０００５】  地震の際、建物は地盤との間の球体によって動くため建物に致命的な損傷を与えなくなる。
【実施例】
【０００６】
【図面の簡単な説明】
【０００７】
【図１】  宅地の地盤側と建物の基礎を支える基盤の間に空間を設け、その空間に球体を入れた状態を側面から見ている。
【図１】
2019085858.tif 000003
(57)【要約】【課題】バイオリンに代表される弦楽器の弓の毛は馬の毛が一般的である。この毛は摩擦により切れるために演奏中の妨げになる事がある。この毛の交換には専門の技術が要求され簡単ではない。またこの弓の管理も難しい。【解決手段】従来の弓の毛に相当する部分を竹２で形成する。この竹２に従来の様に松脂を塗ると従来の毛の弓と同様の効果が得られる。更に竹２に変える事により弓を簡単な構造に出来る。摩耗した竹２の交換も簡単に出来る。材料として竹は入手し易く弓として管理し易い。【選択図】図１
2019197201.tif 000002
【特許請求の範囲】
【請求項１】
弦楽器の弦と接触させ擦って音を発生させる弓の部分が竹（２）で形成されている弦楽器の弓である。
【請求項２】
上記請求項１の竹（２）は加熱して松脂を浸透させる。
【請求項３】
上記請求項１の竹（２）は弓のヘッド（１）とフロッグ（３）に差し込み固定する。
【発明の詳細な説明】
【技術分野】
【００１】  本発明は弦楽器の弓に関する。特に弦楽器の弦を摩擦する弓の部位の材質に関する。
【背景技術】
【００２】  バイオリンに代表される弦楽器の弓の毛は馬の毛が一般的である。この毛は摩耗して切れるために演奏中の妨げになる事がある。この毛の交換には専門の技術が要求され、弓の保管にはこの毛を傷つけ無い事が要求される。
【発明の概要】
【発明が解決しようとする課題】
【００３】  従来の弓の毛に代わる効果を持つ材料で、入手性が良く保管が簡単であり、簡単に交換出来る材料が要求される。
【課題を解決するための手段】
【００４】  本発明の弦楽器の弓は従来の弓の毛に相当する部分を竹２で形成する。この竹２に従来の様に松脂を塗る事で従来の毛の弓と同様の効果を得る。
【発明の効果】
【００５】  本発明によれば竹２を使うことで弓を簡単な構造に出来る。竹は材料として入手し易く弓としても管理し易い。摩耗した竹２の交換は簡単に出来る。
【図面の簡単な説明】
【００６】
【図１】本発明に係る弓の側面図である。
【図２】本発明に係る弓の正面図である。
【図３】竹２の正面図である。
【図４】本発明に係る弓の上面図である。
【図５】本発明に係る弓のＡ−Ａ断面図である。
【発明を実施するための形態】
【００７】  本発明の竹２の効果を安定させる為に、加熱し松脂を浸透さる。その後に弓のヘッド１に竹２の細く形成された差し込み部６を差し込み、次にスクリュー５を緩めてフロッグ３に竹２の差し込み部６を差し込みスクリュー５を締めて取り付ける。その後は常温のもとで演奏前に松脂を直接竹２に塗る。
【符号の説明】
【００８】  １  ヘッド
２  本発明の竹
３  フロッグ
４  スチィック
５  スクリュー
６  差し込み部
【図１】
2019197201.tif 000003
【図２】
2019197201.tif 000004
【図３】
2019197201.tif 000005
【図４】
2019197201.tif 000006
【図５】
2019197201.tif 000007
(57)【要約】      （修正有）【課題】風呂の時間を有効利用して習慣的、継続的に単語を学習するために、防水加工を施した単語を追加拡張できる単語学習機を提供する。【解決手段】防水仕様になっているデジタル時計のような機械で、頭側の壁に設置してボタンで操作したり、正面に設置して音声入力などで切り替えるものが考えられる。モード切替で単語モードに切り替えて学習したい単語を選択、答えを知りたい場合は「答え」ボタン２を押すと答えが表示される。次の単語を学びたければ「次」ボタン３を押すと切り替わる。単語を完全に覚えた場合は「ＯＫ」ボタン（４）を押せば暗記したと確認され次回からは表示されなくなる。ボタンだけでの操作だけでなく、「こたえ」「つぎ」「オーケー」など音声入力で切り替わる方式も考えられる。単語データは最初から入っているタイプ、ＳＤカードやインターネット経由で追加できるタイプが考えられ拡張性が高い。【選択図】図３
2019197200.tif 000002
【特許請求の範囲】
【請求項１】
風呂で使用できるように防水仕様になっているデジタル時計のような機械で学習したい単語を選択し学習できる。ボタン操作や音声入力にて解答できる。単語データを追加でき拡張性が高い単語学習機である。
【発明の詳細な説明】
【技術分野】
【０００１】  風呂の時間を有効利用して継続的に単語を学習するために、防水加工を施した単語を追加拡張できる学習機である。
【背景技術】
【０００２】  いままでは風呂で単語を学習する方法として、ひらがな、かたかな、九九、アルファベットなどを書いた防水加工のシートを壁に貼って眺める方法や防水加工の単語帳を使用して学習していた。
【先行技術文献】
【特許文献】
【０００３】
【発明の概要】
【発明が解決しようとする課題】
【０００４】  次のような欠点があった。
従来のものでは限定的な単語のみしか学べず、決して使い勝手がいいとは言えないものであった。
それを解決すべき、多数、多分野の単語データが追加でき、単語の答えが容易にわかり、学習効果も確認できる学習機である。
【課題を解決するための手段】
【０００５】  風呂で使用できるように防水仕様になっているデジタル時計のような機械で、切り替えボタンで単語学習モードに切り替え使用する。
単語が現れ、ボタンや音声入力で問題と答えを切り替えられ、暗記済みと入力することができる。
単語データはＳＤカードやインターネット経由で追加することで拡張できる。
【発明の効果】
【０００６】  入浴する時間を有効利用して習慣的継続的に単語を学ぶことが出来る。ボタンや音声入力などですぐに解答がわかり、暗記できた単語を区別することで学習の達成度が容易に確認できる。また、単語データを追加できることで更なる学習ができ、幅広い世代で活用できる。
【図面の簡単な説明】
【０００７】
【図１】本発明の風呂場での設置図である。
【図２】本発明の正面図である。時計モードの時。
【図３】本発明の正面図である。単語モードで問題が表示されている時。
【図４】本発明の正面図である。単語モードで解答が表示されている時。
【発明を実施するための形態】
【０００８】  以下、本発明を実施するための形態について説明する。
風呂で使用できるように防水仕様になっているデジタル時計のような機械で、図１のように頭側の壁に設置してボタンで操作したり、正面に設置して音声入力などで切り替えるものが考えられる。
モード切替（１）で単語モードに切り替えて学習したい単語を選択、答えを知りたい場合は「答え」のボタン（２）を押すと答えが表示される。次の単語を学びたければ「次」のボタン（３）を押すと次の単語に切り替わる。単語を完全に覚えた場合は「ＯＫ」ボタン（４）を押せば暗記したと確認され次回からは表示されなくなる。
ボタンだけでの操作だけでなく、「こたえ」「つぎ」「オーケー」など音声入力で切り替える方式も有用である。
単語データは最初から入っているタイプ、ＳＤカードなどで追加する、インターネット経由で追加できるタイプが考えられる
【符号の説明】
【０００９】  １  モード切替ボタン
２  解答確認ボタン
３  次の単語へ切り替えボタン
４  暗記済みボタン
【図１】
2019197200.tif 000003
【図２】
2019197200.tif 000004
【図３】
2019197200.tif 000005
【図４】
2019197200.tif 000006